(57)【要約】【課題】鋳造品の品質予測に基づいて、効率的に検査を行うことができ、鋳造品の品質を向上させることができる品質検査方法を提供する。【解決手段】  鋳造条件から鋳造品が良品群と、不良品群と、良否が不明な群のいずれの群に属するか予測する（ＳＴＥＰ６６，６７，６９）。良品群および良否が不明な群に属すると予測された鋳造品の良否を検査する（ＳＴＥＰ７０）。不良品群に属すると予測された鋳造品と、検査により不良品と判定された鋳造品とに対して、不良箇所の改良を施す（ＳＴＥＰ７２）。さらに、不良箇所が改良された鋳造品の良否を再度判定する（ＳＴＥＰ７３）。【選択図】図８
2010029926.tif 000002
【特許請求の範囲】
【請求項１】
ダイカスト鋳造による鋳造品の良否予測に基づいて該鋳造品の品質を検査する品質検査方法であって、
鋳造条件から前記鋳造品が良品群と、不良品群と、良否が不明な群のいずれの群に属するか予測する良否予測工程と、
前記良否予測工程で良品群および良否が不明な群に属すると予測された鋳造品の良否を検査する検査工程と、
前記良否予測工程で不良品群に属すると予測された鋳造品と、前記検査工程で不良品と判定された鋳造品とに対して、不良箇所の改良を施す改良処理工程と、
前記改良処理工程で不良箇所が改良された鋳造品の良否を再度判定する再検査工程と
を備えることを特徴とする品質検査方法。
【請求項２】
請求項１記載の品質検査方法であって、
前記良否予測工程は、前記鋳造品が良品である確率（Ｐ１）と不良品である確率（Ｐ２）との確率差（Ｐ１−Ｐ２）に基づいて、該鋳造品を良品群と、不良品群と、良否が不明な群のいずれの群に属するか予測することを特徴とする品質検査方法。
【発明の詳細な説明】
【技術分野】
【０００１】
本発明は、ダイカスト鋳造による鋳造品の良否予測に基づいて該鋳造品の品質を検査する品質検査方法に関する。
【背景技術】
【０００２】
従来、ダイカストマシン等の成形機において製品の良否を自動判別する製品良否判定方法としては、予め定められた所定ショット数の試ショット期間中に、予め定められた複数の運転条件モニタ項目の実測値と、製品重量の実測値とを取り込む工程と、各運転条件モニタ項目の実測値と製品重量の実測値とから、各運転条件モニタ項目と製品重量の実測値との相関関係式を多変量解析法の重回帰分析による回帰式として求める工程と、連続自動運転時に、前記相関関係式を用いて前記各運転条件モニタ項目の実測値に基づき１ショット毎に製品重量を予測し、該予測結果が、製品重量の上限値および下限値の範囲内にあるか否かに基づいて製品の良否判定を行う工程とを備えてなるものが知られている（特許文献１参照）。
【０００３】
かかる製品良否判定方法によれば、連続運転時に製品重量の実測値を取り込むことなく、各運転条件モニタ項目の実測値から予測された製品重量を良否判別の基準として良否判定を行う。
【特許文献１】特許第２５６７９６８号公報
【発明の開示】
【発明が解決しようとする課題】
【０００４】
しかしながら、製品重量は製品の良否を判定する１つの要因とはなり得るが、製品重量が予め定められた上限値および下限値の範囲内にあったとしても、該製品が良品であるとは限らない。
【０００５】
加えて、判定精度がどの程度信頼できるものか不明であるため、実際にはすべての鋳造品について鋳造欠陥を検査する必要がある。
【０００６】
以上の事情に鑑みて、本発明は、鋳造品の品質予測に基づいて、効率的に検査を行うことができ、鋳造品の品質を向上させることができる品質検査方法を提供することを目的とする。
【課題を解決するための手段】
【０００７】
上記目的を達成するために、第１発明の品質検査方法は、ダイカスト鋳造による鋳造品の良否予測に基づいて該鋳造品の品質を検査する品質検査方法であって、鋳造条件から前記鋳造品が良品群と、不良品群と、良否が不明な群のいずれの群に属するか予測する良否予測工程と、前記良否予測工程で良品群および良否が不明な群に属すると予測された鋳造品の良否を検査する検査工程と、前記良否予測工程で不良品群に属すると予測された鋳造品と、前記検査工程で不良品と判定された鋳造品とに対して、不良箇所の改良を施す改良処理工程と、前記改良処理工程で不良箇所が改良された鋳造品の良否を再度判定する再検査工程とを備えることを特徴とする。
【０００８】
第１発明の品質検査方法によれば、鋳造品を良品群と不良品群と良否不明な群とのいずれに属するか予測し、該予測結果に基づいて、以下のように品質検査および不良箇所の改良処理が行われる。
【０００９】
すなわち、良品群および良否不明な群に属すると予測された鋳造品に対しては、これらの群の中に、不良品が含まれていないか品質検査を行う。そして、検査の結果、不良品と判定された鋳造品に対してのみ、不良箇所の改良を施す。
【００１０】
一方、不良品群に属すると予測された鋳造品は、ほとんどが不良品であり、一部に良品が含まれる。しかし、この中から良品を抽出することは、手間と時間が掛かり煩雑である。そのため、不良品群に属すると予測された鋳造品に対しては、品質検査を行うことなく、不良箇所の改良を施す。
【００１１】
このように鋳造品を３つの群に分類し、いずれの群に属するかに応じて品質検査を行い、または積極的に品質検査を行わないことで、必要な検査を効率的に行うことができる。さらに、いずれの群の中にも含まれ得る不良品に対して、漏れなく不良箇所の改良を施すことができ、鋳造品の品質を向上させることができる。
【００１２】
第２発明の品質検査方法は、第１発明の品質検査方法において、前記良否予測工程は、前記鋳造品が良品である確率（Ｐ１）と不良品である確率（Ｐ２）との確率差（Ｐ１−Ｐ２）に基づいて、該鋳造品を良品群と、不良品群と、良否が不明な群のいずれの群に属するか予測することを特徴とする。
【００１３】
第２発明の品質検査方法によれば、鋳造品が良品である確率（Ｐ１）と不良品である確率（Ｐ２）とのいずれかに偏りがあれば、鋳造品が良品であるか不良品であるか予測可能となる。例えば、Ｐ１＞＞Ｐ２であれば良品であると予測することが可能となり、Ｐ１＜＜Ｐ２であれば不良品であると予測することが可能となる。一方、いずれかに偏りがあっても、その差が小さい場合には、予測の精度は低下し得る。このように、鋳造品が良品である確率（Ｐ１）と不良品である確率（Ｐ２）との確率差（Ｐ１−Ｐ２）に基づいて、品質の予測を行うことで、鋳造品を良品群と、不良品群とに一定の予測精度をもって分類することができると共に、予測精度が確保されない場合には、グレーゾーンとして良否が不明な群に分類するこができる。これにより、予測精度の信頼性を担保することでき、これらの分類に応じた効率的な検査が可能となる。
【発明を実施するための最良の形態】
【００１４】
本発明の一実施形態として、鋳造品の品質予測方法および該予測方法を用いた鋳造品の品質検査方法を実行する良否判定システムについて、図１〜図８を参照して説明する。
【００１５】
まず、図１を参照して、全体的な構成について説明する。
【００１６】
図１に示すように、本実施の形態の良否判定システムは、鋳造機１に取り付けられた各種センサ２から出力されるデータ信号を収集するデータ収集装置３と、データ収集装置３を介して取得される各種鋳造条件に関するデータを格納する鋳造条件データベース４と、品質検査データの入力が可能に構成された入力部５と、入力部５から入力された品質検査データを格納する品質検査データベース６と、これらデータベース４，６から鋳造品の品質予測のための処理を行う品質予測処理部１０と、品質予測処理部１０による処理に基づいて、鋳造品の品質検査に関連する処理を行う品質検査処理部２０と、品質検査処理部２０の処理結果に従って警報を発するスピーカ７とを備える。
【００１７】
鋳造機１は、アルミニウム等の軽金属材料の鋳造を行うダイカストマシンである。各種センサ２は、例えば鋳造機１の鋳型の各部位に設けられた熱電対からなる温度センサ２ａ，鋳型やピストンに取り付けられた変位計２ｂ、鋳造圧を計測する圧力センサ２ｃ等である。
【００１８】
データ収集装置３は、ＰＬＣ（Ｐｒｏｇｒａｍｍａｂｌｅ  Ｌｏｇｉｃ  Ｃｏｎｔｒｏｌｌｅｒ）からなり、各種センサ２から出力されたデータ信号を、鋳造品番号情報等の管理情報と共に記憶保持する。
【００１９】
鋳造条件データベース４は、データ収集装置３に記憶保持されたデータ信号を図示しないＡ／Ｄ変換器等を介してデジタルデータに変換し、該デジタルデータまたは、該デジタルデータに所定のアルゴリズムによる処理を施して得られるデータを鋳造条件として記憶保持する。鋳造条件データベースに記憶保持される鋳造条件としては、例えば、射出ストローク、射出速度、高速区間、高速区間速度、低速区間、低速区間速度、低速昇圧時間、鋳造圧力、最終型締力などが含まれる。また、デジタルデータに対する処理アルゴリズムとしては、例えば、収集した射出速度などの波形データを区間別に要約し、平均・標準偏差などの基本統計量を計算・保存する波形数値化アルゴリズムであり、膨大な波形データを統計処理用に数値化するものである。
【００２０】
入力部５は、キーボード等の入力手段からなり、オペレータによって鋳造品を検査した結果得られた品質検査データ等が手動で入力される。品質検査データは、鋳造品を種々の観点から検査および評価したものであって、例えば、圧力検査による鋳巣の有無や、目視による表面検査、鋳造品の重量検査等の検査結果が含まれる。尚、入力部５をインターフェイスとして構成し、これら品質検査データを自動的に取り込むように構成してもよい。
【００２１】
品質検査データベース６は、入力部５から入力された鋳造品の品質検査データを図示しないＡ／Ｄ変換器等を介してデジタルデータに変換して記憶保持する。
【００２２】
品質予測処理部１０は、過去の鋳造条件および品質検査データから、鋳造条件と品質検査データとの間の関係を規定したモデルを作成する処理部であって、モデル構築部１１と、予測精度算出部１２と、判定閾値設定部１３とを備える。
【００２３】
モデル構築部１１は、鋳造条件データベース４に記憶保持された複数の鋳造条件と、品質検査データベース６に記憶保持された品質検査データとの間の相関性に関する重回帰モデルを構築する。
【００２４】
予測精度算出部１２は、モデル構築部１１により構築された重回帰モデルによる予測判定結果と、品質検査データベース６に記憶保持された品質検査データによる実際の良品判定結果との合致度を、重回帰モデルの予測精度として算出する。
【００２５】
判定閾値設定部１３は、予測精度算出部１２により算出された予測精度が所定の精度以上となるように、重回帰モデルに基づいて鋳造品を良品または不良品と判定する際の判定閾値Ｔを設定する。
【００２６】
品質検査処理部２０は、新たに鋳造を行う際に、品質予測処理部１０で構築されたモデルに従って鋳造品の良否を予測する処理部であって、良否予測部２１と、警報処理部２２とを備える。
【００２７】
良否予測部２１は、品質予測処理部１０で構築および判定閾値Ｔが設定された重回帰モデルに従って、新たに鋳造条件データベース４に記憶保持された鋳造条件データベース４から、その鋳造品が良品群と、不良品群と、良否が不明な群とのいずれの群に属するかを予測する。
【００２８】
警報処理部２２は、良品予測処理部２１の予測判定結果が不良品と予測される場合に、スピーカ７からブザー音等の警報音を発生させると共に、図示しないディプレイやランプ等により視覚的な警報を行う。
【００２９】
なお、本実施形態において、各データベース４，６および各処理部１１〜１３，２１，２２は、ＣＰＵ、ＲＯＭ、ＲＡＭ等のハードウェアにより構成され、これらが共通のハードウェアによって構成されていてもよく、これらの一部又は全部が異なるハードウェアによって構成されていてもよい。
【００３０】
次に、図２に示すフローチャートを参照して、品質予測処理部１０における処理について説明する。
【００３１】
まず、品質予測処理部１０は、鋳造機１における過去のＮショットに関して、品質検査データベース６に記憶保持された品質検査データを読み出すと共に（ＳＴＥＰ１）、鋳造条件データベース４に記憶保持された鋳造条件を読み出す（ＳＴＥＰ２）。
【００３２】
次に、品質予測処理部１０に対して、オペレータにより入力部５を介して、除外因子情報や必須因子情報が入力される（ＳＴＥＰ３）。除外因子情報および必須因子情報は、鋳造条件データベース４から読み出された過去Ｎショットに関する鋳造条件に関して、その鋳造材料の特質等から、特に除外すべき条件や必須とすべき条件について指定するものである。
【００３３】
さらに、品質予測処理部１０に対して、オペレータにより入力部５を介して、１または複数の品質閾値Ｘが入力される（ＳＴＥＰ４）。品質閾値Ｘは、鋳造品を良否または不良品と判定するための品質指標であって、例えば、鋳造品における鋳巣の体積に関して、鋳巣体積の閾値を３０ｍｍ３とする。
【００３４】
そして、品質予測処理部１０は、入力された品質閾値Ｘに従って、ＳＴＥＰ１で読み出された品質検査データについて、鋳造品を良品と不良品とに層別する（ＳＴＥＰ５）。上述のように鋳巣を品質閾値Ｘとした場合には、鋳巣体積が閾値未満の鋳造品が良品とされ、閾値以上の鋳造品が不良品とされる。
【００３５】
次いで、品質予測処理部１０のモデル構築部１１は、ＳＴＥＰ２で読み出された鋳造条件を各説明変数とし、且つ、ＳＴＥＰ５で層別された品質検査データを目的変数とする相関行列を作成する（ＳＴＥＰ６）。
【００３６】
そして、モデル構築部１１は、ＳＴＥＰ６で作成された相関行列で表される相関関係式において、説明変数同士の相関性が高い組み合わせを削除する多重共線性排除処理を実行する（ＳＴＥＰ１０）。なお、多重共線性排除処理の詳細は、図３を参照して後述する。
【００３７】
さらに、モデル構築部１１は、ＳＴＥＰ１０の処理が施された結果、削除されずに残った説明変数に対して、外れ値の除去処理を実行する（ＳＴＥＰ２０）。なお、外れ値の除去処理の詳細は、図４を参照して後述する。
【００３８】
次いで、モデル構築部１１は、ＳＴＥＰ１０およびＳＴＥＰ２０の処理が施された相関行列で表される相関関係式から、ステップワイズ法により重回帰モデルを構築する重回帰モデル構築処理を実行する（ＳＴＥＰ３０）。なお、重回帰モデルの構築処理の詳細は、図５を参照して後述する。
【００３９】
次に、予測精度算出部１２は、ＳＴＥＰ３０で構築された重回帰モデルに基づいて、鋳造条件から該鋳造品が良品である確率Ｐ１と不良品である確率Ｐ２とを算出し、これらの確率に基づく予測判定結果と、品質検査データベース６に記憶保持された品質検査データによる実際の良品判定結果との合致度を重回帰モデルの予測精度として算出する予測精度算出処理を実行する（ＳＴＥＰ４０）。なお、予測精度算出処理の詳細は、図６を参照して後述する。
【００４０】
次いで、判定閾値設定部１３は、ＳＴＥＰ４０で算出された予測精度が所定値以上となるように、鋳造品が良品である確率Ｐ１と不良品である確率Ｐ２との確率差の大きさ｜Ｐ１−Ｐ２｜に対する判定閾値Ｔを設定する判定閾値設定処理を実行する（ＳＴＥＰ５０）。なお、判定閾値設定処理の詳細は、図７を参照して後述する。
【００４１】
以上が、品質予測処理部１０により実行される処理の概要である。
【００４２】
次に、図３に示すフローチャートを参照して、多重共線性排除処理の詳細について説明する。
【００４３】
まず、モデル構築部１１は、複数の説明変数のうちの２つの説明変数（因子ｍ，ｎ、但しｍ≠ｎ）を抽出し、これらの間の相関係数が所定値（例えば、０．７）以上であるか否かを判定する（ＳＴＥＰ１１）。
【００４４】
そして、相関係数が所定値以上でない場合には（ＳＴＥＰ１１でＮＯ）、除去因子がないと判定して（ＳＴＥＰ１２）、他の２つの説明変数の組み合わせについて、同様に、ＳＴＥＰ１１以下の処理を実行する。
【００４５】
一方、相関係数が所定値以上の場合には（ＳＴＥＰ１１でＹＥＳ）、因子ｎの鋳造品質に対する相関が、因子ｍの鋳造品質に対する相関よりも大きいか否かを判定する（ＳＴＥＰ１３）。
【００４６】
そして、因子ｎの鋳造品質に対する相関が因子ｍより大きい場合には（ＳＴＥＰ１３でＹＥＳ）、鋳造品質に対する相関が低い因子ｍを除去する（ＳＴＥＰ１４）。
【００４７】
一方、因子ｎの鋳造品質に対する相関が因子ｍ以下の場合には（ＳＴＥＰ１３でＮＯ）、鋳造品質に対する相関が低い因子ｎを除去する（ＳＴＥＰ１５）。
【００４８】
次いで、いずれかの因子ｍ，ｎを除去した後、他の２つの説明変数の組み合わせについて、ＳＴＥＰ１１以下の処理を繰り返し実行する。
【００４９】
以上が、多重共線性排除処理の詳細である。なお、当該因子がＳＴＥＰ３で入力された必須因子情報と合致する場合には当該因子は除去されることはなく、当該因子が除去因子情報に合致する場合には、優先して当該因子が除去される。すなわち、ＳＴＥＰ３で指定された必須因子情報および除去因子情報は、多重共線性排除処理を行う上での前提条件となっている。
【００５０】
次に、図４に示すフローチャートを参照して、スミルノフ・グラブス検定による外れ値の除去処理の詳細について説明する。
【００５１】
まず、モデル構築部１１は、第１の説明変数（因子ｍ＝１）を抽出し（ＳＴＥＰ２１）、因子ｍの最大値または最小値が外れ値であるか否かを判定する（ＳＴＥＰ２２）。
【００５２】
具体的に、外れ値の判定は、まず、因子ｍの大きさをＮ、因子ｍの各データをＸ１，Ｘ２， … ，ＸＮ とし、標本平均をＸ´、不偏分散をＵとすると、次式に従ってＴｉ値を求める。
【００５３】
【数１】
2010029926.tif 000003
【００５４】
そして、次式に従って、有意点ｔを求める。
【００５５】
【数２】
2010029926.tif 000004
【００５６】
ここで、式（２）において、αは有意水準である。
【００５７】
そして、Ｔｉ ＜ ｔ のときは、「データのうち、最大（最小）のものは外れ値であるとはいえない。」と判定して、Ｔｉ≧ ｔ のときは、「データのうち、最大（最小）のものは外れ値である。」と判定する。
【００５８】
そして、外れ値であると判定された場合には（ＳＴＥＰ２２でＹＥＳ）、当該因子ｍの該当行を削除し（ＳＴＥＰ２３）、ｍをインクリメントして、次の説明変数を抽出する（ＳＴＥＰ２４）。一方、外れ値ではないと判定された場合には（ＳＴＥＰ２２でＮＯ）、当該因子ｍについて何ら操作をすることなく、ｍをインクリメントして、次の説明変数を抽出する（ＳＴＥＰ２４）。
【００５９】
次いで、インクリメントしたｍが、説明変数の総因子数を超えるか否かを判定する（ＳＴＥＰ２５）。
【００６０】
そして、ｍが総因子数を超える場合には（ＳＴＥＰ２５でＹＥＳ）、外れ値の除去処理を終了する。一方、ｍが総因子数を超えない場合には（ＳＴＥＰ２５でＮＯ）、ＳＴＥＰ２２にリターンし、一連の処理を繰り返す。
【００６１】
以上が、外れ値の除去処理の詳細である。なお、当該因子がＳＴＥＰ３で入力された必須因子情報と合致する場合には当該因子は除去されることはなく、当該因子が除去因子情報に合致する場合には、優先して当該因子が除去される。すなわち、ＳＴＥＰ３で指定された必須因子情報および除去因子情報は、外れ値の除去処理を行う上での前提条件となっている。
【００６２】
次に、図５に示すフローチャートを参照して、ステップワイズ法による重回帰モデルの構築処理の詳細について説明する。
【００６３】
まず、モデル構築部１１は、ＳＴＥＰ１０およびＳＴＥＰ２０の処理が施された相関行列で表される相関関係式から定数項の係数を求め、定数のみのモデルを構築する（ＳＴＥＰ３１）。
【００６４】
次いで、定数のみのモデルに対して、各説明変数のうちで追加することで、モデルの当てはまり度の指標となるＡＩＣが減少する（当てはまり度合いとしては増加する）因子があるか判定する（ＳＴＥＰ３２）。
【００６５】
そして、追加することでＡＩＣが減少する因子がある場合には（ＳＴＥＰ３２でＹＥＳ）、この因子を追加した上で（ＳＴＥＰ３３）、他の因子についてＳＴＥＰ３２以下の処理を実行する。
【００６６】
一方、追加することでＡＩＣが増加する因子がない場合には（ＳＴＥＰ３２でＮＯ）、逆に、削除することでＡＩＣ因子が減少する因子があるか否かを判定する（ＳＴＥＰ３４）。
【００６７】
そして、削除することでＡＩＣが減少する因子がある場合には（ＳＴＥＰ３４でＹＥＳ
）、この因子を除去した上で（ＳＴＥＰ３５）、他の因子についてＳＴＥＰ３２以下の処理を実行する。そして、削除することでＡＩＣが減少する因子がなくなった段階で（ＳＴＥＰ３４でＮＯ）、一連の処理を終了する。
【００６８】
以上が、重回帰モデルの構築処理の詳細である。なお、当該因子がＳＴＥＰ３で入力された必須因子情報と合致する場合には当該因子はモデルから削除されることはなく、当該因子が除去因子情報に合致する場合には、優先して当該因子が削除される。すなわち、ＳＴＥＰ３で指定された必須因子情報および除去因子情報は、重回帰モデルの構築処理を行う上での前提条件となっている。
【００６９】
次に、図６に示すフローチャートを参照して、交差確認法による予測精度算出処理の詳細について説明する。
【００７０】
まず、予測精度算出部１２は、第１の説明変数（因子ｎ＝１）を抽出し（ＳＴＥＰ４１）、全ショットＮのうちからｎ＝１を除いたもので、分散共分散行列Ｓ１，Ｓ２を計算する（ＳＴＥＰ４２）。
【００７１】
次いで、ｎ＝１のＳ１，Ｓ２に対するマハラノビス距離と、鋳造品が良品である確率Ｐ１および不良品である確率Ｐ２を求める（ＳＴＥＰ４３）。具体的に、マハラノビス距離は、分散共分散行列の逆行列を用いてマハラノビスの平方距離を計算することにより求める。また、両群に属する確率Ｐ１，Ｐ２は、マハラノビスの平方距離が自由度のカイ二乗分布に従うことに基づいて計算する。
【００７２】
次いで、鋳造品が良品である確率Ｐ１が、不良品である確率Ｐ２より大きいか否かが判定される（ＳＴＥＰ４４）。
【００７３】
そして、確率Ｐ１が確率Ｐ２より大きい場合には（ＳＴＥＰ４４でＹＥＳ）、鋳造品が良品群に属すると判定して（ＳＴＥＰ４４−Ａ）、該予測判定結果が、ＳＴＥＰ５で層別された品質検査データの良否判定結果と合致するか否かが判定される（ＳＴＥＰ４５）。
【００７４】
一方、確率Ｐ１が確率Ｐ２以下の場合には（ＳＴＥＰ４４でＮＯ）、鋳造品が不良品群に属すると判定して（ＳＴＥＰ４４−Ｂ）、該予測判定結果が、ＳＴＥＰ５で層別された品質検査データの良否判定結果と合致するか否かが判定される（ＳＴＥＰ４５）。
【００７５】
そして、合致する場合には（ＳＴＥＰ４５でＹＥＳ）、成功数および失敗数のカウンタにおいて、成功数のカウンタをインクリメントする（ＳＴＥＰ４５−Ａ）。一方、合致しない場合には、失敗数のカウンタをインクリメントする（ＳＴＥＰ４５−Ｂ）。
【００７６】
次いで、ｎがショット数を超えるか否かを判定し（ＳＴＥＰ４６）、ｎがショット数を超えるまでｎをインクリメントした上で（ＳＴＥＰ４７）、ＳＴＥＰ４２以下の処理を繰り返し実行する。
【００７７】
以上が、予測精度算出処理の詳細である。これにより、ショット数Ｎについて、成功数と失敗数を予測精度として算出することができる。
【００７８】
次に、図７を参照して、判定閾値設定処理の詳細について説明する。
【００７９】
まず、判定閾値設定部１３は、判定閾値Ｔを設けない場合（Ｔ＝０の場合）について（ＳＴＥＰ５１）、交差確認法による予測精度算出を取得する（ＳＴＥＰ５２）。
【００８０】
次いで、鋳造品が良品である確率Ｐ１と不良品である確率Ｐ２との確率差の大きさ｜Ｐ１−Ｐ２｜に対する判定閾値Ｔが０である場合に、取得した予測精度の合致度が７０％以上となるか否かを判定する（ＳＴＥＰ５３）。
【００８１】
そして、合致度が７０％以上でない場合には（ＳＴＥＰ５３でＮＯ）、判定閾値Ｔを所定の割合増加させる（ＳＴＥＰ５４）。増加させる所定の割合としては、例えば、確率差の大きさ｜Ｐ１−Ｐ２｜の数十％である。
【００８２】
次いで、判定閾値Ｔを増加させた上で、合致度が７０％以上となるまで（ＳＴＥＰ５３でＹＥＳ）、ＳＴＥＰ５２以下の処理を繰り返し実行する。
【００８３】
以上が、判定閾値設定処理の詳細である。
【００８４】
次に、図８に示すフローチャートを参照して、品質検査処理部２０における処理について説明する。
【００８５】
まず、品質検査処理部２０は、新たに鋳造を行う際に、この鋳造条件を鋳造条件データベースから読み出す（ＳＴＥＰ６１）。さらに、ＳＴＥＰ５０の判定閾値設定処理で設定された判定閾値Ｔを読み出す（ＳＴＥＰ６２）。
【００８６】
そして、良否予測部２１は、ＳＴＥＰ１で読み出された鋳造条件から、ＳＴＥＰ３０で構築された重回帰モデルに従い、ＳＴＥＰ４２および４３の処理により、この鋳造品が良品である確率Ｐ１と不良品である確率Ｐ２とを算出する（ＳＴＥＰ６３）。なお、ＳＴＥＰ６３の処理は、良否予測部２１に行わせても良いが、システム構成を簡素化するためには、予測精度算出部１２に鋳造条件を与えて演算処理させて、演算処理結果を品質検査処理部２０に返すようにすることが望ましい。
【００８７】
次いで、良否予測部２１は、ここでの確率Ｐ１とＰ２の確率差の大きさ｜Ｐ１−Ｐ２｜が、ＳＴＥＰ６２で読み出された判定閾値Ｔ以上となっているか否かを判定する（ＳＴＥＰ６４）。
【００８８】
そして、確率差が判定閾値Ｔ以上となっている場合には（ＳＴＥＰ６４でＹＥＳ）、良品である確率Ｐ１が不良品である確率Ｐ２よりも大きいか否かを判定する（ＳＴＥＰ６５）。
【００８９】
ここで、良品である確率Ｐ１が不良品である確率Ｐ２よりも大きい場合には（ＳＴＥＰ６５でＹＥＳ）、良品である確率Ｐ１と不良品である確率Ｐ２とは、良品である確率Ｐ１側に判定閾値Ｔで規定される大きさ以上の偏りが生じているため、該鋳造品は良品群に属すると予測する（ＳＴＥＰ６６）。
【００９０】
一方、良品である確率Ｐ１が不良品である確率Ｐ２よりも大きくない場合には（ＳＴＥＰ６５でＮＯ）、良品である確率Ｐ１と不良品である確率Ｐ２とは、不良品である確率Ｐ２側に判定閾値Ｔで規定される大きさ以上の偏りが生じているため、該鋳造品は不良品群に属すると予測する（ＳＴＥＰ６７）。この場合、警報処理部２２は、オペレータに注意喚起をすべく、スピーカ７からブザー音等を出力させ、図示しないディスプレイに鋳造品が不良品に属する可能性がある旨の警報表示等を行う（ＳＴＥＰ６８）。
【００９１】
さらに、確率差が判定閾値Ｔ以上となっていない場合には（ＳＴＥＰ６４でＮＯ）、良品である確率Ｐ１と不良品である確率Ｐ２のいずれか一方の確率に判定閾値Ｔで規定される大きさほどの偏りが生じているわけではないため、該鋳造品は良否不明な群に属すると判定する（ＳＴＥＰ６９）。
【００９２】
次いで、良否予測部２１により鋳造品の品質が予測されると、オペレータは、良品群に属すると予測された鋳造品および良否不明な群に属すると予測された鋳造品については、圧力検査を行う（ＳＴＥＰ７０）。圧力検査は、事前に鋳造品の表面を削るプリ加工を施した上で、密封したケース内にエアを導入して圧力洩れを検査する圧力検査装置により行われる。これにより、鋳巣・微細孔のような欠損の有無を検査する。
【００９３】
そして、オペレータは、圧力検査の結果が良品である場合には（ＳＴＥＰ７１でＹＥＳ）、該鋳造品は、品質等が所定の条件を満たすものであるとして、一連の処理を終了し、該鋳造品は本加工工程や組み付け工程等へと送られる。
【００９４】
一方、ＳＴＥＰ６７で不良品群に属すると予測された鋳造品については、圧力検査を行うことなく、すべての鋳造品については含浸処理を行う（ＳＴＥＰ７２）。含浸処理は、例えば、真空−加圧含浸方式によって鋳巣等の欠陥部に、鋳造材料に対応した含浸液を含浸させる。具体的に、アルミニウムダイカスト鋳造品の場合には、洗浄され乾燥された鋳造品を処理槽にいれ、所定気圧以下になるように処理槽内部を真空にした後、所定の温度に加熱された含浸液を注入し、含浸液が被処理鋳造品を完全に覆い、所定の圧力を加え１０〜１５分間程度保持することにより処理する。かかる含浸処理を行うことにより、耐圧性、気密性、耐食性などを改善し、機械的強度を向上させることができる。
【００９５】
また、圧力検査の結果が良品と判定されない場合にも（ＳＴＥＰ７１でＮＯ）、該鋳造品に対して、ＳＴＥＰ７２の含浸処理が行われる。
【００９６】
そして、含浸処理が行われた鋳造品に対しては、再度、圧力検査が行われる（ＳＴＥＰ７３）。その結果、良品と判定された場合には（ＳＴＥＰ７４でＹＥＳ）には、一連の処理を終了し、該鋳造品は本加工工程や組み付け工程等へと送られる。
【００９７】
一方、最検査の結果、良品と判定されない場合には（ＳＴＥＰ７４でＮＯ）、一連の処理を終了し、該鋳造品は品質等が所定の条件を満たさない規格外品として破棄等される。
【００９８】
以上が、品質検査処理部２０における処理の詳細である。
【００９９】
なお、本実施形態では、ＳＴＥＰ７０，７３で圧力検査により、鋳造品の品質検査を行っているが、これに限定されるものではなく、他の検査方法による品質検査を行うようにしてもよい。例えば、ＣＣＤカメラ等により鋳造品の表面画像を撮像し、撮像画像から欠陥を検出するようにしてもよく、Ｘ線ＣＴデータのような空間離散データにより、内部欠陥を検査するようにしてもよい。
【図面の簡単な説明】
【０１００】
【図１】本実施の形態における良否判定システムの全体構成図。
【図２】品質予測処理部における処理を示すフローチャート。
【図３】多重共線性排除処理を示すフローチャート。
【図４】外れ値の除去処理を示すフローチャート。
【図５】重回帰モデルの構築処理を示すフローチャート。
【図６】予測精度算出処理を示すフローチャート。
【図７】判定閾値設定処理を示すフローチャート。
【図８】品質検査処理部における処理を示すフローチャート。
【符号の説明】
【０１０１】
１…鋳造機、２…センサ、３…データ収集装置、４…鋳造条件データベース、５…入力部、６…品質検査データベース、７…スピーカ、１０…品質予測処理部、１１…モデル構築部、１２…予測精度算出部、１３…判定閾値設定部、２０…品質検査処理部、２１…良否予測部、２２…警報処理部。
【図１】
2010029926.tif 000005
【図２】
2010029926.tif 000006
【図３】
2010029926.tif 000007
【図４】
2010029926.tif 000008
【図５】
2010029926.tif 000009
【図６】
2010029926.tif 000010
【図７】
2010029926.tif 000011
【図８】
2010029926.tif 000012